(57)【要約】【課題】コード類や遠隔操作装置を保持し位置を容易に移動・固定させること。【解決手段】短冊状に形成され可撓性を有するベルト本体２０と、ベルト本体２０の第１面２１及び第２面２２に設けられた面ファスナと、第１面２１に設けられたスナップ凸ボタン２３及びスナップ凹ボタン２４とを備え、第１面２１を内側にしてスナップ凸ボタン２３及びスナップ凹ボタン２４により固定される小ループＳと、第１面２１を内側にして面ファスナにより固定される大ループＬとが形成されるように設けられている。【選択図】      図３
2005034417.tif 000002
【特許請求の範囲】
【請求項１】
短冊状に形成され可撓性を有するベルト本体と、
このベルト本体の第１面及び第２面に設けられた面ファスナと、
上記第１面に設けられた一対のスナップボタンとを備え、
上記第１面を内側にして上記一対のスナップボタンにより固定される第１のループと、上記第１面を内側にして上記面ファスナにより固定される第２のループとが形成されるように設けられていることを特徴とする保持用ベルト。
【請求項２】
上記第１面は面ファスナのカギ面、上記第２面は面ファスナのループ面であることを特徴とする請求項１に記載の保持用ベルト。
【請求項３】
上記一対のスナップボタンは上記ベルト本体の長手方向における中央部より一方の端部側に配置されていることを特徴とする請求項１に記載の保持用ベルト。
【請求項４】
上記第１面に上記一対のスナップボタンの他にスナップボタンが設けられていることを特徴とする請求項１に記載の保持用ベルト。
【請求項５】
遠隔装置操作装置に付属するコードを保持する遠隔操作装置付属コード用保持ベルトにおいて、
短冊状に形成され可撓性を有するベルト本体と、
このベルト本体の第１面及び第２面に設けられた面ファスナと、
上記第１面に設けられた一対のスナップボタンとを備え、
上記第１面を内側にして上記一対のスナップボタンにより固定され上記コードを通す第１のループと、上記第１面を内側にして上記面ファスナにより固定される第２のループとが形成されるように設けられていることを特徴とする遠隔操作装置付属コード用保持ベルト。
【発明の詳細な説明】
【技術分野】
【０００１】
本発明は、コード類を結束するための保持用ベルトに関し、特に入院患者用のベッドに備えられるナースコール等の遠隔操作装置のコード類に適したものに関する。
【背景技術】
【０００２】
病院の入院患者用のベッドにはナースコールと呼ばれる看護婦を呼ぶための遠隔操作装置が用いられている。遠隔操作装置には、押しボタンが付いているだけの簡単な構造のものから、スピーカやマイクが付いている高機能のものまで様々なものがある。このような遠隔操作装置に付属するコード線が絡まないようにしたり、断線することを防止するためにベッドサイドに吊り下げる等の工夫がされている。
【０００３】
イヤホンのコード類が絡まないようにするための器具としてステレオイヤホンホルダーが知られている（例えば特許文献１参照）。
【特許文献１】特開２００３−１２５４７７号公報
【発明の開示】
【発明が解決しようとする課題】
【０００４】
上述した遠隔操作装置であると次のような問題があった。すなわち、コード類の吊り下げ位置が固定されていると、患者の手が届きやすい場所にナースコールを移動させるのが難しかった。また、ベッドを移動したり、ベッドの傾きを変えたりするような場合に、断線したりする虞があった。
【０００５】
そこで本発明は、コード類や遠隔操作装置を保持するとともに位置を容易に移動・固定させることが可能な保持用ベルト及び遠隔操作装置付属コード用保持ベルトを提供することを目的としている。
【課題を解決するための手段】
【０００６】
上記課題を解決し目的を達成するために、本発明の保持用ベルト及び遠隔操作装置付属コード用保持ベルトは次のように構成されている。
【０００７】
（１）短冊状に形成され可撓性を有するベルト本体と、このベルト本体の第１面及び第２面に設けられた面ファスナと、上記第１面に設けられた一対のスナップボタンとを備え、上記第１面を内側にして上記一対のスナップボタンにより固定される第１のループと、上記第１面を内側にして上記面ファスナにより固定される第２のループとが形成されるように設けられていることを特徴とする。
【０００８】
（２）上記（１）に記載された保持用ベルトであって、上記第１面は面ファスナのカギ面、上記第２面は面ファスナのループ面であることを特徴とする。
【０００９】
（３）上記（１）に記載された保持用ベルトであって、上記一対のスナップボタンは上記ベルト本体の長手方向における中央部より一方の端部側に配置されていることを特徴とする。
【００１０】
（４）上記（１）に記載された保持用ベルトであって、上記第１面に上記一対のスナップボタンの他にスナップボタンが設けられていることを特徴とする。
【００１１】
（５）遠隔装置操作装置に付属するコードを保持する遠隔操作装置付属コード用保持ベルトにおいて、短冊状に形成され可撓性を有するベルト本体と、このベルト本体の第１面及び第２面に設けられた面ファスナと、上記第１面に設けられた一対のスナップボタンとを備え、上記第１面を内側にして上記一対のスナップボタンにより固定され上記コードを通す第１のループと、上記第１面を内側にして上記面ファスナにより固定される第２のループとが形成されるように設けられていることを特徴とする。
【発明の効果】
【００１２】
本発明によれば、コード類や遠隔操作装置を保持するとともに位置を容易に移動・固定させることが可能となる。
【発明を実施するための最良の形態】
【００１３】
短冊状に形成され可撓性を有するベルト本体２０と、ベルト本体２０の第１面２１及び第２面２２に設けられた面ファスナと、第１面２１に設けられたスナップ凸ボタン２３及びスナップ凹ボタン２４とを備え、第１面２１を内側にしてスナップ凸ボタン２３及びスナップ凹ボタン２４により固定される小ループＳと、第１面２１を内側にして面ファスナにより固定される大ループＬとが形成されるように設けられている。
【実施例】
【００１４】
図１は本発明の一実施の形態に係る保持用ベルト１０を示す平面図、図２は同保持ベルト１０の側面図である。また、図３は同保持用ベルト１０の固定状態を示す側面図である。
【００１５】
保持用ベルト（遠隔操作装置付属コード用保持ベルト）１０は、布製のベルト本体２０を備えている。ベルト本体２０の両面には面ファスナが形成されており、第１面２１にはカギ面、第２面２２にはループ面がそれぞれ配設されている。また、ベルト本体２０の第１面２１には、スナップ凸ボタン２３及びスナップ凹ボタン２４が取付けられている。スナップ凸ボタン２３及びスナップ凹ボタン２４は、ベルト本体２０の長手方向中央部よりも一方の端部寄りに配置されている。
【００１６】
保持用ベルト１０は、図３に示すように、ベルト本体２０の第１面２１を内側にしてスナップ凸ボタン２３をスナップ凹ボタン２４に留めることで、小ループＳが形成される。小ループＳの内径はスナップ凸ボタン２３及びスナップ凹ボタン２４の位置関係で定まる。このため、スナップ凸ボタン２３及びスナップ凹ボタン２４は、ベルト本体２０の長手方向中央部よりも一方の端部寄りに配置されていることから比較的小径のループとなる。また、ベルト本体２０の第１面２１を内側にして第１面２１を第２面２２に押し付けることで固定でき、大ループＬが形成される。
【００１７】
このように構成された保持ベルト１０の具体的な使用方法を図４〜図７を用いて説明する。図４及び図５は、ナースコール３０をベッド際に固定する場合を示す図である。なお、図中３０は大型のナースコール（遠隔操作装置）、３１はコード、３２はハンドルを示している。
【００１８】
図４及び図５に示す例では、小ループＳにナースコール３０のコード３１を通し、大ループＬはベッドＢの手摺Ｂａに巻き付ける。小ループＳは小径であることから比較的堅くコード３１を保持することができる。一方、大ループＬは面ファスナによって固定されているので、手摺Ｂａに対して容易に着脱することができる。このため、手摺Ｂａの所望の位置に保持用ベルト１０を巻き付けることで、ナースコール３０の位置を所望の位置に配置することができる。
【００１９】
なお、このときカギ面が形成されている第１面２１が内側に位置しているので、患者等はループ面が形成された第２面２２側に触れることになり、感触が柔らかいという特徴を有している。
【００２０】
図６はナースコール３０の吊下げハンドル３２を保持用ベルト１０の小ループＳで固定した例を示す図である。この例においても、小ループＳは小径であることから比較的堅く吊下げハンドル３２を保持することができる。一方、大ループＬは面ファスナによって固定されているので、手摺Ｂａに対して容易に着脱することができる。このため、手摺Ｂａの所望の位置に保持用ベルト１０を巻き付けることで、ナースコール３０の位置を所望の位置に配置することができる。
【００２１】
図７は小型のナースコール４０のコード４１を束ねるために用いた例を示す図である。保持用ベルト１０は、上述したベッド等に固定する他、ベッドの移動時にコード類の結束用に用いることも可能である。
【００２２】
上述したように本実施の形態に係る保持ベルト１０によれば、ナースコール等の遠隔操作装置やコード類の移動及び保持を容易にすることが可能となる。また、簡単な構造であるため、安価に製造できるとともに破損にも強く、適用範囲が広い。さらに、小ループＳをコード３１，４１に堅く巻き付けることができるので、保持ベルト１０自体の紛失を防止することができる。
【００２３】
なお、本発明は前記実施の形態に限定されるものではない。すなわち、上述した実施の形態では、入院患者用のナースコール用として用いたが、他の用途にも使用することも可能である。また、スナップボタンとして、スナップ凸ボタン、スナップ凹ボタンをそれぞれ１つずつ設けたが、複数個設けてもよい。これにより大きさの異なる小ループを形成することができる。この他、本発明の要旨を逸脱しない範囲で種々変形実施可能であるのは勿論である。
【産業上の利用可能性】
【００２４】
本発明によれば、遠隔操作装置のコード類を留める小ループと、固定物に巻き付けるための大ループとを形成することで、遠隔操作装置を所望の場所に容易に取付けることができる保持用ベルトが得られる。
【図面の簡単な説明】
【００２５】
【図１】本発明の一実施の形態に係る保持用ベルトを示す平面図。
【図２】同保持用ベルトを示す側面図。
【図３】同保持用ベルトの使用時における形態を示す側面図。
【図４】同保持用ベルトをベッドで用いるナースコールに適用した場合の一例を示す斜視図。
【図５】図４の要部を拡大して示す斜視図。
【図６】同保持用ベルトをベッドで用いるナースコールに適用した場合の別の例を示す斜視図。
【図７】同保持用ベルトをベッドで用いるナースコールのコードを結束する場合を示す斜視図。
【符号の説明】
【００２６】
１０…保持用ベルト（遠隔操作装置付属コード用保持ベルト）、２０…ベルト本体、２１…第１面、２２…第２面、２３…スナップ凸ボタン、２４…スナップ凹ボタン、３０，４０…ナースコール（遠隔操作装置）、３１，４１…コード。
【図１】
2005034417.tif 000003
【図２】
2005034417.tif 000004
【図３】
2005034417.tif 000005
【図４】
2005034417.tif 000006
【図５】
2005034417.tif 000007
【図６】
2005034417.tif 000008
【図７】
2005034417.tif 000009